(57)【特許請求の範囲】
【請求項１】
液体を収納する容器と、前記容器を上部の第１の収納部と下部の第２の収納部とに上下に分割する隔離部材と、前記容器内の前記第２の収納部の液体を加熱する加熱手段と、前記容器上部を閉塞する蓋と、前記第１の収納部と前記第２の収納部を連通する前記容器外に設けた導水管と、前記導水管の途中に設けた送水装置と、前記容器の温度を検知する温度検知素子と、前記送水装置を制御する制御回路と、前記容器を収容する本体とで構成し、前記容器内で前記第１の収納部と前記第２の収納部とを連通する通水部を前記隔離部材の下端に設け、前記隔離部材上部に前記第２の収納部から前記第１の収納部の方向に気体が移動できる蒸気抜き穴を設け、前記蒸気抜き穴を通常は閉塞しており沸騰にともない発生する蒸気を放出すべく上下に自在に移動する逆止弁を備えた電気湯沸かし器。
【請求項２】
加熱装置は容器底部に位置し、隔離部材は前記加熱装置上部を概略覆う構成とし、隔離部材は容器から着脱可能な構成とした請求項１記載の電気湯沸かし器。
【請求項３】
導水管の途中を分岐して一端を第１の収納部に開口し他端を外方に開口する切り替え弁を設けた請求項１記載の電気湯沸かし器。
【発明の詳細な説明】
【０００１】
【発明の属する技術分野】
本発明は主として一般家庭または事務所等で使用される電気湯沸かし器に関するものである。
【０００２】
【従来の技術】
従来この種の電気湯沸かし器は図９に示すようであった。１は上方を開口し上端部の外方にフランジ２を設けて底部に加熱手段であるヒーター３を備えた容器である。４は中央に円筒状の保持部５を設けて保持部５にパッキン６を介して水密的に容器１を係止する合成樹脂で形成された上枠であり、後部にヒンジ７が設けてある。８は合成樹脂で形成されて容器１を収納する本体である。９は容器１上部を覆う合成樹脂で形成された蓋であり、蓋９の一端に取り付けたピン１０を上枠４のヒンジ７に嵌着して回転する。蓋９には容器１上方に連通する蒸気口１１が設けられている。１２は蓋９の外周に備えられたシールパッキンであり、蓋９の閉塞で容器１のフランジ２を気密的にシールする。１３は容器１底部に一端を連通し、他端を本体８外方に開口した透明なガラス管で形成された導水管１４に連通した送水装置を構成する遠心ポンプである。
【０００３】
１５は本体８の前面に位置して導水管１４が外方より見えるように設けられた窓部である。１６は上枠４の保持部５下部に位置して容器１外側面に巻き付けられた厚さが約１０ｍｍのガラス繊維の不織布で形成された断熱材である。断熱材１６の下端は容器１底面と同じ高さである。１７は容器１下部に固定されたアルミ鍍金鋼板等をプレス加工して形成された遮熱板である。遠心ポンプ１３はこの遮熱板１７に固定されている。１８は外部より電気を給電する接続部である。１９は容器１底部略中央に接触して備えられた温度検知素子である。２０は温度検知素子１９からの信号でヒーター３への通電を制御するとともに操作部２１のライトタッチスイッチで構成されたスイッチ２２やＬＥＤで構成されたランプ２３を制御する制御回路である。スイッチ２２の機能は再沸騰や保温温度の設定切り替えであり、例えばインスタントコーヒー等に適した９５℃と煎茶に適した８０℃のように使用目的により保温温度を設定できる。
【０００４】
以上のように構成された電気湯沸かし器において、動作を説明する。まず、容器１に水を給水する。ピン１０を軸にして蓋９を閉じるとシールパッキン１２がフランジ２を水密的にシールする。容器１内に水が満たされるとともに、容器１底部に連通した導水管１４にも水が浸入しやがて容器１内と同じ水位になる。容器１内の水量を確認するときは蓋９を開けずに窓部１５から導水管１４を見る。
【０００５】
次に、接続部２１から電気を給電する。温度検知素子１９は容器１底部を介して湯温を検知し、制御回路２０が温度検知素子１９からの信号でヒーター３へ通電して湯沸かしする。やがて容器１内全体の水温が上昇し、容器１底部に位置するヒーター３で加熱された容器１底部の水は温度が上昇して比重が小さくなり容器１内を上昇する。自然対流により容器１内の水は撹拌されてほぼ均等な温度分布となる。水温が上昇しやがて沸騰すると、容器１内の水は激しく撹拌されて均一な温度になるとともに温度上昇は約１００℃で停止する。温度検知素子１９がこの温度を検知または温度上昇に変化がなくなったことを検知して制御回路２０がヒーター３への通電を断電し、以降は温度検知素子１９からの信号で制御回路２０はヒーター３への通電を制御して保温温度（約９５℃）を維持する。このときも容器１内の湯温は容器内のすべての場所でほぼ均等に変化する。これは容器１底部にヒーター３が位置し、自然対流で容器１内が撹拌されるからである。
【０００６】
例えば保温中に沸騰した湯を所望の時は、操作部２１のスイッチ２２を操作して制御回路２０によりヒーター３へ通電し容器１内の湯全体を加熱する。容器１内の湯は容器１底部のヒーター３により底部近傍から加熱される。そして加熱されて比重が小さくなった湯は容器１内を上昇し、容器１内全体が撹拌されながら均等に温度上昇する。容器１内の湯全体が沸騰すると温度検知素子１９を介して制御回路２０がヒーター３への通電を停止する。
【０００７】
また、９５℃で保温中に煎茶に適した８０℃の湯を給湯しようとすると、あらかじめスイッチ２２を操作して８０℃保温に設定する。本体８の自然放熱により徐徐に容器１内の湯温は低下して数時間後には８０℃の湯になる。
【０００８】
逆に、８０℃で保温中に沸騰した湯を所望のときは、たとえ少量の湯しか必要なくてもスイッチ２２を操作して容器１内の湯全体を沸騰させる。
【０００９】
湯を所望のときは操作部２１のスイッチ２２を操作して遠心ポンプ１３を作動させ導水管１４を介して給湯する。湯が少なくなると容器１に給水する。温度検知素子１９からの信号で制御回路２０はヒーター３に通電し湯を沸かして再び所定の温度に保温する。このように湯沸かしと保温と給湯を繰り返して使用される。
【００１０】
このとき容器１内の水はそのすべてが均等に加熱され保温されて容器１内の水温は容器１内の位置に関係なくほぼ均一になる。
【００１１】
【発明が解決しようとする課題】
しかしながら、上記のような従来の構成では、保温は容器１内のすべての湯を加熱しなければならず、使用する量が少量でも全体を保温しなければならなかった。また、湯温を設定するときは設定温度になるまで自然に放熱するために湯温の低下時間が長く設定温度に低下するまでの時間が数時間必要であった。特に昨今は省エネ効果のために断熱材を使用したり真空２重容器にしたりするために、湯温の低下はさらにゆっくりとなり、設定した温度まで低下する時間は益々長くなる傾向にある。設定温度まで早く湯温が低下するようにするためには放熱を多くすれば良いが、一方で保温時の消費電力が多くなり省エネ効果と設定温度への速やかな温度降下とは相反するものであった。さらに、ほんの少しの沸騰した湯を所望のときでも容器内のすべての湯を再加熱しなければならず、保温電力や再加熱時の消費電力の無駄が多いといった問題があった。
【００１２】
本発明は上記従来の問題点を解決するもので、異なる温度の液体を速やかに供給できる電気湯沸かし器を提供することを目的とする。
【００１３】
【課題を解決するための手段】
上記目的を達成するために、本発明の一つの手段は、液体を収納する容器と、前記容器を上部の第１の収納部と下部の第２の収納部とに上下に分割する隔離部材と、前記容器内の前記第２の収納部の液体を加熱する加熱手段と、前記容器上部を閉塞する蓋と、前記第１の収納部と前記第２の収納部を連通する容器外に設けた導水管と、前記導水管の途中に設けた送水装置と、前記容器の温度を検知する温度検知素子と、前記送水装置を制御する制御回路と、前記容器を収容する本体とで構成し、前記容器内で前記第１の収納部と前記第２の収納部とを連通する通水部を前記隔離部材の下端に設け、前記隔離部材上部に前記第２の収納部から前記第１の収納部の方向に気体が移動できる蒸気抜き穴を設け、前記蒸気抜き穴を通常は閉塞しており沸騰にともない発生する蒸気を放出すべく上下に自在に移動する逆止弁を備えた構成としたものである。
【００１４】
これにより、温度の異なる第１の収納部内の液体と第２の収納部内の液体とを速やかに入れ替えることで冷却時間の短い電気湯沸かし器を提供することが出来る。
【００１５】
【発明の実施の形態】
本発明の請求項１に記載の発明は、液体を収納する容器と、容器を上部の第１の収納部と下部の第２の収納部とに上下に分割する隔離部材と、前記容器内の前記第２の収納部の液体を加熱する加熱手段と、第１の収納部と前記第２の収納部を連通する容器外に設けた導水管と、前記導水管の途中に設けた送水装置と、前記容器内で前記第１の収納部と前記第２の収納部とを連通する通水部を前記隔離部材の下端に設け、前記隔離部材上部に前記第２の収納部から前記第１の収納部の方向に気体が移動できる蒸気抜き穴を設け、前記蒸気抜き穴を通常は閉塞しており沸騰にともない発生する蒸気を放出すべく上下に自在に移動する逆止弁を備えた構成としたものであり、第１と第２の収納部内の液体を速やかに移動させることができるという作用を有する。また、第２の収納部内の液体のみを加熱するので第１と第２の収納部内の液温に大きな差が発生して選択できる温度の範囲を大きくすることができるという作用を有する。また、第２の収納部内で沸騰現象が発生しても逆止弁を通って第１の収納部に抜けるので内圧の上昇を防止でき十分に沸騰させることができるという作用を有する。
【００１６】
請求項２に記載の発明は、加熱装置は容器底部に位置し、隔離部材は前記加熱装置上部を概略覆う構成とし隔離部材は容器から着脱可能な構成としたものであり、容器内が簡単に手入れできるという作用を有する。
【００１７】
請求項３に記載の発明は、導水管の途中を分岐して一端を第１の収納部に開口し他端を外方に開口する切り替え弁を設けた構成としたものであり、切り替え弁を操作するだけで導水管を第２の収納部から第１の収納部への液体の移動に使用することと第２の収納部の液体を外方に導出するという二通りの作用を有する。
【００１８】
【実施例】
（実施例１）
以下に本発明の第１の実施例について、図１を参照しながら説明する。フランジ２、加熱手段を構成するヒーター３、上枠４、保持部５、パッキン６、ヒンジ７、本体８、蓋９、ピン１０、蒸気口１１、シールパッキン１２、送水装置を構成する遠心ポンプ１３、窓部１５、断熱材１６、遮熱板１７、接続部１８、温度検知素子１９は従来の実施例と同一の形状と機能であり、同一の名称と番号を使用する。
【００１９】
３１は容器であり、直径１８５ｍｍ深さ２１０ｍｍのステンレス鋼板製の円筒状で底部にヒーター３がとりつけてある。容器３１の定格容量は３リットルである。ヒーター３の定格消費電力は湯沸かし時は１２００Ｗで保温時は１００Ｗである。３２は隔離部材であるセパレータであり、概略上方に凸で下部を開口したお椀を伏せた形状のものであり内部は中空でほぼ均等な距離の空間を持つ２重構造となっていて容積は約５００ｍｌである。外形直径１８０ｍｍで高さ６０ｍｍであり、セパレータ３２下部にはセパレータ３２固定用の係止部３３が設けてある。３４はセパレータ３２下端を幅１０ｍｍ深さ１ｍｍに凹ませて設けた通水部であり容器３１内で形成されている。セパレータ３２の材料はポリフェニレンサルファイドなどの樹脂材料またはステンレス鋼であり、セパレータ３２全体の見かけ上の比重は１以上である。
【００２０】
セパレータ３２の上部中央には円形の蒸気抜き穴３５が設けてあり、セパレータ３２内で沸騰した場合に蒸気が抜けることとなる。蒸気抜き穴３５の直径は約３０ｍｍであり、逆止弁３６が備えてある。逆止弁３６は直径４５ｍｍの円盤状で下部に４カ所の鈎爪３７が下方に伸設してあり、鈎爪３７は蒸気抜き穴３５に上方から差し込まれていて５ｍｍの遊びがあり、蒸気抜き穴３５内を上下に５ｍｍの距離を自在に移動する。逆止弁３６は通常は蒸気抜き穴３５を自重により閉塞している。逆止弁３６の自重は２５グラムである。
【００２１】
容器３１底部とセパレータ３２で囲まれた空間は第２の収納部３８を形成し、容器３１内で第２の収納部３８以外の空間は第１の収納部３９を形成している。セパレータ３２内の第２の収納部３８で発生した気体はセパレータ３２内部の上方に集中する。やがてその浮力が逆止弁３６の重力に勝って逆止弁３６を持ち上げて隙間から第１の収納部３９に放出される。
【００２２】
４０は容器３１の下部に内方向にプレス加工等により凸に設けられた突起部であり、セパレータ３２の係止部３３を螺着してセパレータ３２を容器３１下部に着脱自在に固定する。４１は容器３１側面下部に固定された第２の温度検知素子であり、第１の収納部３９内の水温を検知する。
【００２３】
４２は切り替え弁であり、流入口４３と循環口４４と給湯口４５とを弁４６で切り替えている。弁４６は弁軸４７に弁パッキン４８を取り付けて下方から弁ばね４９で上方向に付勢し弁パッキン４８は流入口４３と循環口４４を常時連通し流入口４３と給湯口４５は常時閉塞している。
【００２４】
５０は給湯スイッチであり、シールキャップ５１を介して弁軸４７を上方から下方へ押して弁ばね４９の付勢力に抗して弁軸４７を下方へ移動させる。弁軸４７の移動に伴い弁パッキン４８も移動して流入口４３と循環口４４とを閉塞すると同時に流入口４３と給湯口４５とを連通する。要するに、給湯スイッチ５０を押す前は流入口４３は循環口４４と連通し、給湯スイッチ５０を押すと流入口４３は給湯口４５と連通する。
【００２５】
循環口４４は容器３１上部の湯の満水水面より上部に開口していて循環口４４を通過した水は活性炭５２とミネラル材５３を収納した浄水フィルター５４を通過して容器３１内に還流される。浄水フィルター５４は容器３１上部の満水水位より上方に開口した循環口４４に着脱自在に係止されている。
【００２６】
５５は遠心ポンプ１３と切り替え弁４２の流入口４３とを連通する容器３１外に設けられた透明なガラス管で形成された導水管であり、遠心ポンプ１３からの水を通過させるとともに常時は容器３１内の水位と同じ水位まで水が入っているので窓部１５から見て容器３１内の水量を知ることができる。５６は導水管５５の下部に取り付けられたフォトカプラー等で形成された水位センサーであり、導水管５５の水位が一定値以下になったら水の有無による光の屈折の変化を利用して水の有無を検知する。
【００２７】
５７は操作部である。５８は冷却スイッチであり押すと第２の収納部３８内の湯を遠心ポンプ１３で導水管５５を介して循環口４４から浄水フィルター５４を通って容器３１上方である第１の収納部３９に移動する。遠心ポンプ１３の駆動は約３０秒連続する。５９は設定温度や現在の湯温をデジタル表示するＬＣＤ表示部であり、６０はロック解除スイッチでありロックを解除してから給湯スイッチ５０を押すと遠心ポンプ１３が作動して容器３１内の第２の収納部３８内の湯を給湯口４５から給湯する。
【００２８】
６１は再沸騰スイッチであり、ヒーター３への通電を開始する。第２の収納部３８内の温度を温度検知素子１９が検知し沸騰を検知するとヒーター３への通電は停止されることとなる。６２は選択スイッチであり９５℃と８５℃と６０℃の保温温度とクエン酸等を使用して容器３１内の湯あかを溶解洗浄する洗浄モードとを選択する。選択温度と洗浄モードとは順送りに繰り返し表示選択される。
【００２９】
６３は給湯スイッチ５０近傍で本体内に収納固定されたマイクロスイッチであり、給湯スイッチ５０から水平方向に伸設したアーム６４で通常時は下方から押された状態になっている。このときマイクロスイッチ６３のＢ接点はオフ状態である。給湯スイッチ５０を下方に押して操作するとアーム６４はマイクロスイッチ６３から離れてＢ接点をオンにする。このマイクロスイッチ６３のオンとオフで遠心ポンプ１３の給湯動作を制御する。
【００３０】
６５は制御回路であり、ヒーター３と遠心ポンプ１３とマイクロスイッチ６３とロック解除スイッチ６０と再沸騰スイッチ６１と選択スイッチ６２と冷却スイッチ５８とＬＣＤ表示部５９と温度検知素子１９と第２の温度検知素子４１とを電気的に制御する。
【００３１】
以上のように構成された電気湯沸かし器についてその動作を説明する。蓋９を開いて容器３１内に水をいれる。水は第１の収納部３９に収納された後に通水部３４等を通過して第２の収納部３８に浸入する。セパレータ３２内には当初空気が存在するが、通水部３４から浸入する水に押されてセパレータ３２上方の逆止弁３６を押し上げて蒸気抜き穴３５から第１の収納部３９に抜け、容器３１上部に放散される。やがて第２の収納部３８には水が満たされ、かつ第１の収納部３９にも水が満たされると給水を完了する。
【００３２】
接続部１８から商用電力を供給して、ヒーター３に通電する。容器３１内の第２の収納部３８内の水は容器３１底部のヒーター３で加熱されて水温が上昇する。加熱された水は比重がわずかに小さくなり第２の収納部３８内で上昇する。しかし、逆止弁３６でセパレータ３２の蒸気抜き穴３５は閉塞されているので、加熱された水は第２の収納部３８内の上部に溜まる。
【００３３】
第２の収納部３８内の温度が４０℃になると、温度検知素子１９からの信号で制御回路６５が遠心ポンプ１３を駆動する。遠心ポンプ１３により第２の収納部３８内の湯は導水管５５を通って切り替え弁４２の流入口４３から流入する。切り替え弁４２は常時は流入口４３と循環口４４とが連通しているので、湯は循環口４４を通って浄水フィルター５４内のミネラル材５３と活性炭５２を通過して容器３１上方に放出されて第１の収納部３９に溜まる。
【００３４】
第２の収納部３８では流出した湯の分だけ通水部３４を通って第１の収納部３９から水が供給される。供給された水は第２の収納部３８内でヒーター３に加熱されながらやがて遠心ポンプ１３で導水管５５を通って浄水フィルター５４を通過して第１の収納部３９に放出される。この繰り返しにより第２の収納部３８内の湯温と第１の収納部３９内の湯温との差は約２℃程度を維持しながら上昇する。また、湯は繰り返し浄水フィルター５４を通過するために含有するカルキ分や遊離塩素分やトリハロメタンの生成材料となる有機物等を徐徐に吸収して湯を浄水する。やがて第２の収納部３８内の湯温が約９０℃になると温度検知素子１９からの信号で制御回路６５は遠心ポンプ１３を停止する。
【００３５】
引き続きヒーター３で加熱された水は、循環が停止しているので第２の収納部３８内に溜まるために第２の収納部３８内の水の温度のみが急激に上昇するので、循環停止からの通電は通電と断電を繰り返す。通電時間を１０秒とし断電時間を１０秒として約６００Ｗ相当の消費電力とする。このとき第１収納部３９内の湯温は約９０℃でほぼ一定であり変化しない。やがて第２の収納部３８内の水に含まれていた酸素や窒素等の気体がセパレータ３２近傍の逆止弁３６近傍に集まり、その浮力で逆止弁３６を持ち上げて第２の収納部３８から蒸気抜き穴３５を通って第１の収納部３９に放出されやがて容器３１上部に放散される。
【００３６】
蒸気抜き穴３５から抜けた気体の体積分は、第１の収納部３９のまだ十分に加熱されていない湯が通水部３４を通って第２の収納部３８に浸入する。浸入した湯もヒーター３により加熱されて、やがて第２の収納部３８内の湯は沸騰状態になる。沸騰にともない発生する蒸気は蒸気抜き穴３５から第１の収納部３９に放出されて第１の収納部３９内の水と熱交換して水を加熱して気体としての蒸気は消滅する。容器３１水面には蒸気は到達しない。従ってセパレータ３２内は沸騰状態でありながら容器３１上部へは蒸気が発生しないこととなる。
【００３７】
温度検知素子１９が第２の収納部３８内の沸騰を検知すると制御回路６５によりヒーター３への通電は停止される。以降は温度検知素子１９の検知温度により制御回路６５がヒーター３への通電を制御して第２の収納部３８内の湯温を約９５℃に維持する。
【００３８】
セパレータ３２はその二重の断熱構造により第２の収納部３８内の熱を第１の収納部３９に伝え難くヒーター３からの熱は第２の収納部３８内だけを加熱保温する。また第１の収納部３９は第２の収納部３８からの熱流入が少ないだけでなく側面と天面から放熱するために、第２の収納部３８内で約９５℃に維持された湯に比べて、第１の収納部３９内の湯温は約８０℃と著しく低い。結果として保温に必要な電気エネルギーは約５００ｍｌの容積を持ち断熱性能の高いセパレータ３２で囲まれた第２の収納部３８内の湯温維持のみで第１の収納部３９内の湯温は約８０℃と低いために合計約２０ワット程度で十分となる。
【００３９】
湯が所望のときは操作部５７のロック解除スイッチ６０を押して給湯ロックを解除してから給湯スイッチ５０を押す。これにともない給湯スイッチ５０に伸設されたアーム６４はマイクロスイッチ６３のＢ接点をオンにして遠心ポンプ１３を駆動する。第２の収納部３８内の湯は遠心ポンプ１３で導水管５５を送水されて切り替え弁４２に到達する。切り替え弁４２は押された状態であるので流入口４３と給湯口４５とが連通していて流入口４３と循環口４４とは遮断されている。切り替え弁４２に到達した湯は給湯口４５に送られて外方に放出される。
【００４０】
沸騰した湯が所望の場合について図６で説明する。まず再沸騰スイッチ６１を押す。制御回路６５はヒーター３へ通電して第２の収納部３８内の湯を加熱する。温度検知素子１９により沸騰を検知すると制御回路６５はヒーター３への通電を停止する。このとき遠心ポンプ１３は停止したままなので第２の収納部３８内の湯のみが加熱される。約５００ｍｌの湯を再加熱するので再加熱に要する時間は約３０秒程度である。
【００４１】
再沸騰が完了した後にロック解除スイッチ６０を押してから給湯スイッチ５０を押すと前述のごとく第２の収納部３８内の湯が給湯口４５から給湯される。給湯される湯は沸騰したばかりの第２の収納部３８内の湯でありほぼ１００℃の湯が得られることとなる。
【００４２】
セパレータ３２内の湯温が約９５℃で保温をしているときに８５℃の湯を所望のときについて図７で説明する。第２の収納部３８内温度が約９５℃であり、第１の収納部３９内温度が約８０℃である状態から、まず冷却スイッチ５８を押す。制御回路６５は約２０秒間遠心ポンプ１３を駆動する。遠心ポンプ１３の作動により第２の収納部３８内の湯は遠心ポンプ１３を介して導水管５５へ送られる。切り替え弁４２は常時流入口４３と循環口４４とを連通しているので送られた湯は流入口４３から循環口４４を通過し浄水フィルター５４を通って容器３１上方に放出される。第２の収納部３８から送出した分の湯は第１の収納部３９から約８０℃の湯が通水部３４を通って補充される。第２の収納部３８では約９０℃の湯は次々に送出されて約８０℃の湯が次々に流入してくるために、やがて２０秒後には第２の収納部３８内の湯温は約８０℃になっている。この約８０℃の湯を前述のように給湯スイッチ５０で給湯すると外方には約８０℃の湯を給湯することとなる。
【００４３】
温度検知素子１９が第２の収納部３８内の温度が８０℃であることを検知し、これを受けて、給湯操作の完了後に制御回路６５はヒーター３へ通電して約１分で第２の収納部３８内の湯を約９５℃に加熱してヒーター３への通電を停止する。このようにして給湯から約１分後には第２の収納部３８内は約９５℃の湯で満たされ、第１の収納部３９内は約８０℃の湯で満たされることとなり、以降も安定してこの状態が維持される。
【００４４】
以上のように第１の実施例によれば、再沸騰の時間が短くてよくまた最小限の湯を再沸騰させるので必要な電気エネルギーも少なくて良い。また、保温温度を９５℃に設定していて急に８０℃の湯が所望のときでも約２０秒で急冷することができる。しかも９５℃で保温している最中の保温に必要な電気エネルギーは容器３１内全体を保温するよりも遙かに少なくて省エネの効果がある。以上のように省エネと、容器３１とヒーター３がひとつでありながら給湯する湯の温度を選択できる電気湯沸かし器を提供することが出来る。
【００４５】
（実施例２）
以下に本発明の第２の実施例について、図８を参照しながら説明する。フランジ２、ヒーター３、上枠４、保持部５、パッキン６、ヒンジ７、本体８、蓋９、ピン１０、蒸気口１１、シールパッキン１２、遠心ポンプ１３、窓部１５、断熱材１６、遮熱板１７接続部１８、温度検知素子１９は従来の実施例と同一の形状と機能であり、同一の名称と番号を使用する。また、係止部３３、通水部３４、蒸気抜き穴３５、逆止弁３６、鈎爪３７、第２の収納部３８、第１の収納部３９、突起部４０、第２の温度検知素子４１、流入口４３、給湯スイッチ５０活性炭５２、ミネラル材５３、浄水フィルター５４、水位センサー５６、操作部５７、冷却スイッチ５８、ＬＣＤ表示部５９、ロック解除スイッチ６０、再沸騰スイッチ６１、選択スイッチ６２、マイクロスイッチ６３、アーム６４は第１の実施例と同一の形状と機能であり、同一の名称と番号を使用する。
【００４６】
７１は容器であり定格容量は３リットルである。容器７１底部の製品前部側には流入口４３が設けてありさらに容器７１底部後部には循環流入口７２が容器７１底部から上方に約３０ｍｍの高さに伸設して開口している。流入口４３は送水装置である遠心ポンプ１３に連通している。７３は昇水パイプであり一端を遠心ポンプ１３に連通し、他端を給湯スイッチ５０と連動した出湯操作部７４を介して給湯口７５に連結されている。
【００４７】
７６は循環ポンプであり、一端を循環流入口７２に連通し、他端を循環パイプ７７を介して容器７１上部の満水水位より上方に開口する循環吐出口７８に連通している。循環吐出口７８には浄水フィルター５４が着脱自在に係止されている。
【００４８】
７９は断熱性の発砲樹脂で射出成形されたお椀を伏せた形状の隔離部材であるセパレータである。外形は第１の実施例とほぼ同じである。セパレータ７９の内容量は約５００ｍＬである。循環流入口７２はセパレータ７９の内方上部に位置する。
【００４９】
８０は制御回路であり、ヒーター３と温度検知素子１９と第２の温度検知素子４１と水位センサー５６と冷却スイッチ５８とＬＣＤ表示部５９とロック解除スイッチ６０と再沸騰スイッチ６１と選択スイッチ６２とマイクロスイッチ６３と循環ポンプ７６とを電気的に制御する。
【００５０】
以上のように構成された電気湯沸かし器において、基本的な湯沸かし操作と操作部５７の操作は第１の実施例と同じであり省略する。動作の異なる冷却と給湯について説明する。まず、湯沸かし後第２の収納部３８内が約９５℃に保温され第１の収納部３９内が約８０℃に保温された安定した状態において、冷却スイッチ５８を押すと制御回路８０が循環ポンプ７６を２０秒駆動する。第２の収納部３８内の約９５℃の湯は循環流入口７２から循環ポンプ７６を介して循環パイプ７７を通り循環吐出口７８に到達する。さらに循環吐出口７８から放出された湯は浄水フィルター５４を通って湯を浄水し第１の収納部３９に流入する。第２の収納部３８内は約８０℃の湯温になっている。次に、ロック解除スイッチ６０を押してから給湯スイッチ５０を押すと、給湯スイッチ５０に連動して出湯操作部７４が作動しさらにマイクロスイッチ６３からの信号により制御回路８０により遠心ポンプ１３が作動して第２の収納部３８内の約８０℃の湯が給湯口７５から給湯されることとなる。
【００５１】
第２の収納部３８内は約８０℃の湯で満たされているが、やがて温度検知素子１９からの信号により制御回路８０がヒーター３に通電する。第２の収納部３８内の湯温のみが上昇して約１分後には９５℃になる。温度検知素子１９からの信号で制御回路８０はヒーター３への通電を停止する。以上の動作については第１の実施例の図７の動きと同じである。以降は制御回路８０により第２の収納部３８内の湯温を約９５℃に維持する。
【００５２】
以上のように第２の実施例によれば、切り替え弁４２が必要なく簡単な構成の電気湯沸かし器を提供することが出来る。
【００５３】
なお、第１の実施例では通水部３４をセパレータ３２下端部に切り欠きを設けて構成したが、容器３１とセパレータ３２下端の隙間をもって構成してもよい。
【００５４】
また、第１の実施例ではヒーター３をひとつとして扱っているが、湯沸かし時には約１２００Ｗの消費電力で保温時には約１００Ｗのふたつのヒーターを備えていても良い。
【００５５】
さらに、第１の実施例では第２の収納部内の温度が約９０℃になると循環を停止し、以降はヒーターへの通電率を５０％にしたが、通電時間と通電率の設定は任意に選べるし、通電時間または通電率を徐徐に小さくして沸騰時点では極小さな消費電力相当の湯沸かしを行っても良い。
【００５６】
【発明の効果】
以上のように本発明によれば、部分的な保温と再沸騰による省エネ効果と温度の異なる湯を選び分けて速やかに給湯することができる電気湯沸かし器を提供することができる。
【図面の簡単な説明】
【図１】本発明の第１の実施例を示す電気湯沸かし器の断面図
【図２】本発明の第１の実施例を示す電気湯沸かし器の操作部の平面図
【図３】本発明の第１の実施例を示す電気湯沸かし器の部分断面図
【図４】本発明の第１の実施例を示す電気湯沸かし器の部分断面図
【図５】本発明の第１の実施例を示す電気湯沸かし器の湯沸かし時の湯温と通電状態を示すグラフ
【図６】本発明の第１の実施例を示す電気湯沸かし器の再沸騰時の湯温と通電状態を示すグラフ
【図７】本発明の第１の実施例を示す電気湯沸かし器の冷却時の湯温と通電状態を示すグラフ
【図８】本発明の第２の実施例を示す電気湯沸かし器の断面図
【図９】従来の実施例を示す電気湯沸かし器の断面図
【符号の説明】
３    ヒーター（加熱手段）
８    本体
９    蓋
１３  遠心ポンプ（送水装置）
１９  温度検知素子
３１  容器
３２  セパレータ（隔離部材）
３４  通水部
３８  第２の収納部
３９  第１の収納部
５５  導水管
６５  制御回路
【図１】
0003573053.tif 000002
【図２】
0003573053.tif 000003
【図３】
0003573053.tif 000004
【図４】
0003573053.tif 000005
【図５】
0003573053.tif 000006
【図６】
0003573053.tif 000007
【図７】
0003573053.tif 000008
【図８】
0003573053.tif 000009
【図９】
0003573053.tif 000010